(57)【要約】【課題】気体または微細な液体の成分を室内の目的の場所に目的の濃度で搬送し、空気を清浄にすることを目的とする。【解決手段】発射口１を有する気化室２とそれに連なる減圧室３と、減圧室３を伸縮させる駆動手段４と、消臭液５の入った気化室２に連なる溶液タンク６からなる。駆動手段４により減圧室３を伸ばす事により減圧室３に連なる気化室２が負圧になる。それにより溶液タンク６より気化室２に消臭液５が送られる。消臭液５は気化室２内で気化され、消臭成分となり、気化室内の空気と混合し消臭空気となる。次に減圧室３を収縮することで、気化室２内の消臭空気は発射口１より渦輪の状態で発射される。上記構成において、消臭空気は外の空気と交わる事無く目的の場所まで搬送され、また空気の渦が外気との摩擦を低減するため目的の場所まで少ないエネルギーで搬送することができる。よって消臭気体は濃度を変えずに、目的の場所に搬送することができる。【選択図】図１
2009142528.tif 000002
【特許請求の範囲】
【請求項１】
渦輪を発射する発射口を有する気化室と、前記気化室に連なる減圧室と、前記減圧室を伸縮させる駆動手段と、消臭液を貯蔵する溶液タンクを設け、前記減圧室を拡張して前記気化室の気圧を減少することにより前記溶液タンクより前記気化室に消臭液を搬送しつつ消臭液を気化させた後、減圧室を収縮することにより、この気化した消臭液が含まれる消臭空気を発射口より渦輪として送出する脱臭装置。
【請求項２】
液量調整手段を備え、その液量調整手段により一定量の消臭液を前記溶液タンクより前記気化室に搬送する請求項１記載の脱臭装置。
【請求項３】
気化室を減圧するとき発射口を閉じるシャッター機構を発射口に備えた請求項１または２記載の脱臭装置。
【請求項４】
消臭液を気化室に搬送するダクトの気化室側の先端に回転式の散水手段を設け、溶液タンクから気化室に搬送される消臭液を回転しながら散水する請求項１乃至請求項３のいずれかに記載の脱臭装置。
【請求項５】
散水手段は攪拌ファンを備えた請求項４記載の脱臭装置。
【請求項６】
気化室の内壁に凹凸加工、または内壁面を粗した請求項１乃至請求項５のいずれかに記載の脱臭装置。
【請求項７】
気化室内壁に親水性処理を施した請求項１乃至請求項６のいずれかに記載の脱臭装置。
【請求項８】
気化室にヒーターを設置した構造の請求項１乃至請求項７のいずれかに記載の脱臭装置。
【請求項９】
溶液タンクにヒーターを設置した構造の請求項１乃至請求項８のいずれかに記載の脱臭装置。
【請求項１０】
前記溶液タンクと前記気化室を溶液ダクトで接続し、前記溶液ダクトにヒーターを設置した構造の請求項１乃至請求項９のいずれかに記載の脱臭装置。
【請求項１１】
前記発射口に開度調節手段を設け、前記開度調節手段により前記発射口の開口面積を調節し、渦輪として搬送することのできる請求項１乃至請求項１０のいずれかに記載の脱臭装置。
【請求項１２】
前記減圧室の収縮率を変えることで、前記発射口より渦輪として異なった距離に搬送することができる請求項１乃至請求項１０のいずれかに記載の脱臭装置。
【請求項１３】
前記気化室に第二駆動手段を設け、前記第二駆動手段により前記発射口の向きを変更することのできる請求項１乃至請求項１２のいずれかに記載の脱臭装置。
【請求項１４】
気化室の外にガスセンサーを設け、センサーが外気臭気の一定以上の増加を感知した場合、自動で運転する構造の請求項１乃至請求項１３のいずれかに記載の脱臭装置。
【請求項１５】
常時は液量調整手段により少量づつ気化室に消臭液を搬送し、発射口よりの徐放効果で消臭を行い、ガスセンサーが外気臭気の一定以上の増加を感知した場合、自動で空気砲として渦輪を発射する構造の請求項１４記載の脱臭装置。
【請求項１６】
気化室の内壁に抗菌防カビ加工を施した請求項１乃至請求項１５のいずれかに記載の脱臭装置。
【請求項１７】
気化室の外側の発射口付近にセンサーを設置、センサーにより物質を把握し、渦輪発射時に駆動部または第二駆動手段または開度調節手段を調整する機能を有する請求項１１乃至請求項１６のいずれかに記載の脱臭装置。
【請求項１８】
香料を入れた香料カートリッジを設け、香料カートリッジを溶液ダクトに接続し、液量調整手段により液量を調整された消臭液に香料を混入する構造を有する請求項１乃至請求項１７のいずれかに記載の脱臭装置。
【請求項１９】
複数の香料カートリッジを有する請求項１８記載の脱臭装置。
【請求項２０】
パソコンに接続し、ユーザーが渦輪の量、装置の起動時間を設定できるプログラムを有する請求項１乃至請求項１９のいずれかに記載の脱臭装置。
【発明の詳細な説明】
【技術分野】
【０００１】
本発明は、気体成分の搬送に使用される渦輪の技術を使用した脱臭装置に関する。
【背景技術】
【０００２】
従来、この種の脱臭装置は、ファンを使用されたものが知られている（例えば、特許文献１参照）。
【０００３】
以下、その脱臭装置について図１８を参照しながら説明する。
【０００４】
図に示すように、本体１０１は、送風機１０２と送風口１０３からなり、芳香成分含有液を収容する第一収容部１０４と水を収容する第二収容部１０５とエアーポンプ１０６を備える。エアーポンプ１０６より第一収容部１０４と第二収容部１０５に圧縮空気を吹き込み泡を生じさせ、発砲圧力により芳香成分含有液および水を微粒子化し本体１０１内に送り、混合する。送風機１０２により空気を送り、その空気に乗せ送風口１０３より外部に放散される。
【特許文献１】特開２００２−８５５４２号公報
【発明の開示】
【発明が解決しようとする課題】
【０００５】
このような従来の脱臭装置では、消臭溶液の濃度を目的の場所に搬送することが困難という課題があり、装置から目的場所まで、濃度を変化することなく搬送することが要求されている。
【０００６】
また、屋内に均一に拡散という課題があり、最適な場所より拡散をすることが要求されている。
【０００７】
この要求に対し空気を目的の場所まで送る技術として渦輪の技術があり、渦輪発生装置としては開発されている。
【０００８】
しかし渦輪発生機構を内蔵した脱臭装置開発されていない。
【０００９】
本発明は、このような従来の課題を解決するものであり、消臭溶液の濃度を変えることなく目的の場所に搬送することができ、また、目的の場所より拡散を開始できる渦輪発生機構を内蔵した脱臭装置を提供することを目的としている。
【課題を解決するための手段】
【００１０】
本発明の脱臭装置は上記目的を達成するために、気化室内で気化された消臭液を消臭成分を含む空気として発射口より渦輪の状態で発射されるものである。
【００１１】
この手段により一定濃度の消臭成分を含む空気は渦輪の状態となり、濃度変化無く送出することができ、また、目的の場所まで送出し、そこで渦輪を崩壊させその場所から拡散できる脱臭装置が得られる。
【００１２】
また、他の手段は液量調整手段を設けたものである。
【００１３】
これにより消臭液を溶液タンクより気化室に定量搬送することができ、気化室内の空気に含まれる消臭成分の割合が一定にできる脱臭装置が得られる。
【００１４】
また、他の手段は発射口のシャッター機構を設けたものである。
【００１５】
これにより気化室の減圧が効果的に行う事ができ、消臭液の気化が容易にできる脱臭装置が得られる。
【００１６】
また、他の手段は溶液ダクトの気化室側の先端に回転式の散水手段を設け、溶液タンクから気化室に搬送される消臭液を回転しながら散水する構造としたものである。
【００１７】
これにより消臭液が気化室内に分散し一つ一つの液滴の空気との接触面積が増加し、消臭液の気化が容易にできる脱臭装置が得られる。
【００１８】
また、他の手段は回転式の散水手段に攪拌ファンを設置し、散水時および散水後に空気の対流を発生させ濃度むらを減少させる構造としたものである。
【００１９】
これにより、気化室内の空気の対流をおこし、消臭液の気化が容易にできると供に気化後の気化室内の濃度を均一にし、均一の消臭成分を含有した渦輪を発射することができる脱臭装置が得られる。
【００２０】
また、他の手段は気化室の内壁に凹凸加工を施す。または内壁の表面をあらしたものである。
【００２１】
これにより、気化室内で分散された消臭液の液滴が再度集まりにくくなり、消臭液が空気と接触する面積が減少しないため、消臭液の気化が容易にできる脱臭装置が得られる。
【００２２】
また、他の手段は気化室の内壁に親水性処理を施したものである。
【００２３】
これにより、気化室内の消臭液の液滴が内壁になじみ液滴の表面積が増加するため、消臭液の気化が容易にできる脱臭装置が得られる。
【００２４】
また、他の手段は気化室にヒーターを設置し気化室内の空気を暖めるものである。
【００２５】
これにより、気化室内の消臭液の気化が容易にできる脱臭装置が得られる。
【００２６】
また、他の手段は溶液タンクにヒーターを設置し消臭液を温めるものである。
【００２７】
これにより、気化室に暖かい消臭液が送られ、気化室で消臭液の気化が容易にできる脱臭装置が得られる。
【００２８】
また、他の手段は、溶液タンクと気化室を溶液ダクトで接続し、その溶液ダクトにヒーターを設置し、溶液ダクトを温めるものである。
【００２９】
これにより、消臭液が溶液ダクトを通過する時に温められ、気化室に暖かい消臭液が送られ、気化室で消臭液の気化が容易にできる脱臭装置が得られる。
【００３０】
また、他の手段は発射口に開度調節手段を設けたものである。
【００３１】
これにより、発射口の開度を調節し渦輪の到達距離を調節する。消臭液を目的ポイントまで効率よく搬送することができる脱臭装置が得られる。
【００３２】
また、他の手段は渦輪を発射する際、減圧室の収縮率を変化させるものである。
【００３３】
これにより、発射口より発射される渦輪のスピードが変化し、渦輪の到達距離を調節することができる。消臭液を目的ポイントまで効率よく搬送することができる脱臭装置が得られる。
【００３４】
また、他の手段は気化室に第二駆動手段を設け、発射口の方向が上下左右の方向に動くものである。
【００３５】
これにより、渦輪の発射方向を変化させることができ、消臭液を目的ポイントまで効率よく搬送することができる脱臭装置が得られる。
【００３６】
また、他の手段はガスセンサーを設け、ガスセンサーの値が一定以上増加した場合に自動で消臭成分を含んだ渦輪を発射するものである。
【００３７】
これにより、臭気に応じ自動で効率的に脱臭を行う脱臭装置が得られる。
【００３８】
また、他の手段は通常時には気化室に少量ずつ消臭液を送り、発射口より消臭成分の濃度勾配で消臭成分を室内に送る。そしてガスセンサーの値が一定以上増加した場合に自動で消臭成分を含んだ渦輪を発射するものである。
【００３９】
これにより、常時は悪臭成分発生の予防として微量の消臭成分を送り、悪臭発生時は早急に消臭するために渦輪として一定量の消臭成分を送る効率よく脱臭を行う脱臭装置が得られる。
【００４０】
また、他の手段は気化室の内壁に抗菌防カビ加工を施したものである。
【００４１】
これにより、高湿になる気化室で菌やカビの発生を抑制することができる脱臭装置が得られる。
【００４２】
また、他の手段はセンサーを設け、センサーにより物質の位置を把握し駆動手段または第二駆動手段または開度調節手段のいずれかまたは複数を調節し、渦輪を目的の場所に搬送することのできる脱臭装置が得られる。
【００４３】
これにより、目的の場所に渦輪を効率よく送ることのできる脱臭装置が得られる。
【００４４】
また、他の手段は香料の入った香料カートリッジを溶液ダクトに設置し、液量調整手段により液量を調整された消臭液に香料を混入するものである。
【００４５】
これにより、香りを追加した渦輪を作ることができ、官能的中和効果を追加した脱臭装置が得られる。
【００４６】
また、他の手段は香料の入った香料カートリッジを溶液ダクトに複数設置し、消臭液に混入する香料を変更することができるものである。
【００４７】
これにより、数種類の香りの渦輪を作ることができ、官能的中和だけでなく香りを楽しむ効果を追加した脱臭装置が得られる。
【００４８】
また、他の手段はパソコンによりユーザーが渦輪の量、装置の起動時間、香りの種類などを任意に設定できるプログラムを有するものである。
【００４９】
これにより、生活シーンやニーズに合わせた脱臭ができる脱臭装置が得られる。
【発明の効果】
【００５０】
本発明によれば目的の濃度の成分を含んだ空気を目的の場所まで濃度を変える事無く搬送できるという効果のある渦輪空気搬送機を提供できる。
【００５１】
また、目的の場所で空気の拡散の開始を始めることができる。
【発明を実施するための最良の形態】
【００５２】
本発明の請求項１記載の発明は、渦輪を発射する発射口を有する気化室と、前記気化室に連なる減圧室と、前記減圧室を伸縮させる駆動手段と、消臭液を貯蔵する溶液タンクを設け、前記減圧室を拡張することにより前記気化室の気圧を減少する。それにより前記溶液タンクより気化室に消臭液を搬送し、同時に消臭液を気化させる。気化した消臭液が含まれる消臭空気を減圧室の収縮で、発射口より渦輪として送出し、消臭空気を目的の場所に送る効果がある。
【００５３】
また、液量調整手段を設けたものであり、消臭液を溶液タンクより気化室に定量搬送することができ、気化室内の空気に含まれる消臭成分の割合が一定にできる。
【００５４】
また、発射口のシャッター機構を設けたものであり、気化室の減圧が効果的に行う事ができ消臭液の気化が容易にできる。
【００５５】
また、溶液ダクトの気化室側の先端に回転式の散水手段を設け、溶液タンクから気化室に搬送される消臭液を回転しながら散水する構造としたものであり、消臭液が気化室内に分散し一つ一つの液滴の空気との接触面積が増加し、消臭液の気化が容易にできる。
【００５６】
また、回転式の散水手段に攪拌ファンを設置し、散水時および散水後に空気の対流を発生させ濃度むらを減少させる構造としたものであり、気化室内の空気の対流をおこし、消臭液の気化が容易にできると供に気化後の気化室内の濃度を均一にし、均一の消臭成分を含有した渦輪を発射することができる。
【００５７】
また、気化室の内壁に凹凸加工を施す。または内壁の表面をあらしたものであり、気化室内で分散された消臭液の液滴が再度集まりにくくなり、消臭液が空気と接触する面積が減少しないため、消臭液の気化が容易にできる。
【００５８】
また、気化室の内壁に親水性処理を施したものであり、気化室内の消臭液の液滴が内壁になじみ液滴の表面積が増加するため、消臭液の気化が容易にできる。
【００５９】
また、気化室にヒーターを設置し気化室内の空気を暖めるものであり、気化室内の消臭液の気化が容易にできる。
【００６０】
また、溶液タンクにヒーターを設置し消臭液を温めるものであり、気化室に暖かい消臭液が送られ、気化室で消臭液の気化が容易にできる。
【００６１】
また、溶液タンクと気化室を溶液ダクトで接続し、その溶液ダクトにヒーターを設置し、溶液ダクトを温めるものであり、消臭液が溶液ダクトを通過する時に温められ、気化室に暖かい消臭液が送られ、気化室で消臭液の気化が容易にできる。
【００６２】
また、発射口に開度調節手段を設けたものであり、発射口の開度を調節し渦輪の到達距離を調節する。消臭液を目的ポイントまで効率よく搬送することができる。
【００６３】
また、渦輪を発射する際、減圧室の収縮率を変化させるものであり、発射口より発射される渦輪のスピードが変化し、渦輪の到達距離を調節することができる。消臭液を目的ポイントまで効率よく搬送することができる。
【００６４】
また、気化室に第二駆動手段を設け、発射口の方向が上下左右の方向に動くものであり、渦輪の発射方向を変化させることができ、消臭液を目的ポイントまで効率よく搬送することができる。
【００６５】
また、ガスセンサーを設け、ガスセンサーの値が一定以上増加した場合に自動で消臭成分を含んだ渦輪を発射するものであり、臭気に応じ自動で効率的に脱臭を行うことができる。
【００６６】
また、通常時には気化室に少量ずつ消臭液を送り、発射口より消臭成分の濃度勾配で消臭成分を室内に送る。そしてガスセンサーの値が一定以上増加した場合に自動で消臭成分を含んだ渦輪を発射するものであり、常時は悪臭成分発生の予防として微量の消臭成分を送り、悪臭発生時は早急に消臭するために渦輪として一定量の消臭成分を送る効率よく脱臭を行うことができる。
【００６７】
また、気化室の内壁に抗菌防カビ加工を施したものであり、高湿になる気化室で菌やカビの発生を抑制することができる。
【００６８】
また、センサーを設け、センサーにより物質の位置を把握し収縮率調節機構または第二駆動手段または開度調節手段のいずれかまたは複数を調節し、渦輪を目的の場所に搬送することのでき、目的の場所に渦輪を効率よく送ることのできる。
【００６９】
また、香料の入った香料カートリッジを溶液ダクトに設置し、液量調整手段により液量を調整された消臭液に香料を混入するものであり、香りを追加した渦輪を作ることができ、官能的中和効果を追加することができる。
【００７０】
また、香料の入った香料カートリッジを溶液ダクトに複数設置し、消臭液に混入する香料を変更することができるものであり、数種類の香りの渦輪を作ることができ、官能的中和だけでなく香りを楽しむ効果を追加することができる。
【００７１】
また、パソコンによりユーザーが渦輪の量、装置の起動時間、香りの種類などを任意に設定できるプログラムを有するものであり、生活シーンやニーズに合わせた脱臭ができる。
【００７２】
以下、本発明の実施の形態について図面を参照しながら説明する。
【００７３】
（実施の形態１）
図１に示すように、発射口１を有する気化室２とそれに連なる減圧室３と、減圧室３を伸縮させる駆動手段４と、消臭液５、例えばフィトンチッド溶液などの入った気化室２に連なる溶液タンク６からなる。
【００７４】
最初に駆動手段４により減圧室３を縮めた状態にする。駆動手段４により減圧室３を伸ばす事により減圧室３に連なる気化室２が負圧になる。そのことにより溶液タンク６より気化室２に消臭液５が送られる。その状態で一定時間待機し消臭液５は気化室２内で気化され、消臭成分をとなり気化室内の空気と混合し消臭空気となる。次に駆動手段４たとえば油圧ジャッキにより減圧室３を収縮することで、気化室２内の消臭空気は発射口１より渦輪の状態で発射される。
【００７５】
上記構成において、発射口１より発射される消臭空気は外側と内側の空気の流れる方向が異なる事により空気の渦ができ、その事により渦内の空気は外の空気と交わる事無く目的の場所まで搬送される。また空気の渦が外気との摩擦を低減するため目的の場所まで少ないエネルギーで搬送することができる。よって消臭気体は濃度を変える事無く、目的の場所に搬送することができる。
【００７６】
例えば気化室２の材質は、樹脂、金属などがある。
【００７７】
減圧室３は気化室２を減圧および加圧ができればよく、形状は例えば蛇腹のポンプ形状、ピストン形状などがある。減圧室３の材質は例えばゴム、樹脂などがある。
【００７８】
駆動手段４は減圧室の体積を増加、減少させることができればよく、たとえば電動パンタグラフジャッキ、ピストン機構、ポンプなどを用いることができる。
【００７９】
発射口１より発射された消臭空気は発射口１の形状に関係なく渦輪の形となるため、発射口１の形状はどのような形でもよく限定しない、例えば四角形などがある。
【００８０】
減圧室３は気化室２と連なっていればよく、設置場所は問わない。たとえば直接ではなくダクトを介して連なっていても良い。
【００８１】
（実施の形態２）
実施の形態１と同一部分は同一符号を付し詳細な説明は省略する。
【００８２】
図２に示すように、液量調整装置７を設ける。液量調整装置７により溶液タンク６から気化室２に送られる消臭液５の量を調整する。
【００８３】
上記構成において、液量調整装置７により、消臭液５の気化室２への供給量を調整することにより、消臭液５気化後の気化室２内の消臭空気濃度を一定に保つことができ、均一な消臭空気を渦輪として目的の場所に発射することができる。
【００８４】
（実施の形態３）
実施の形態１または２と同一部分は同一符号を付し詳細な説明は省略する。
【００８５】
図３に示すように、発射口１に発射口１を開閉するシャッター機構８を設ける。減圧室３を伸ばし気化室２を減圧する際、シャッター機構８を閉じる。
【００８６】
上記構成において、気化室２の減圧を効率よく行う事ができ、気化室２での消臭液５の気化時間を短縮することができる。
【００８７】
（実施の形態４）
実施の形態１乃至３と同一部分は同一符号を付し詳細な説明は省略する。
【００８８】
図４に示すように、溶液タンク６より搬送された消臭液５を気化室２に注入する部分を回転しながら散水する散水手段９とし、消臭液５を遠心力で気化室２内全体に散布する。
【００８９】
上記構成において、消臭液５が気化室２内に分散し一つ一つの液滴の空気との接触面積が増加し、さらに気化室全体から同時に気化が開始されるため気化室２内の濃度むらが減少され、消臭液５の気化時間が短縮できる。
【００９０】
（実施の形態５）
実施の形態１乃至４と同一部分は同一符号を付し詳細な説明は省略する。
【００９１】
図５に示すように、回転式の散水手段９に攪拌ファン１０を設置し、散水時および散水後に気化室２の空気の対流を発生させ消臭空気の濃度むらを減少させる。
【００９２】
上記構成により、気化室２内の空気の対流をおこし、消臭液５の気化が容易にできると供に気化後の気化室２内の濃度を均一にし、均一の消臭成分を含有した消臭空気を渦輪として発射することができる。
【００９３】
（実施の形態６）
実施の形態１乃至５と同一部分は同一符号を付し詳細な説明は省略する。
【００９４】
図６に示すように、気化室２内の内壁１１を凹凸加工する。または内壁１１表面をあらす。
【００９５】
図６の上部の（ａ）の従来の未処理状態を示した図のように気化室２の内壁１１を加工しない状態だと、振動、空気の対流などにより消臭液５の液滴が移動し、複数の液滴がまとまり一つの大きな液滴になる。
【００９６】
図６の下部の（ｂ）の処理状態を示した図のように気化室２の内壁１１を加工した場合、内壁１１の壁面と消臭液５との間の摩擦が増加し、一度内壁１１に接触した消臭液５液滴はその場所から移動しなくなる。
【００９７】
上記構成により、気化室２内で分散された消臭液５の液滴が再度集まりにくくなり、消臭液５が空気と接触する面積が減少しないため、消臭液５の気化が容易にできる。なお、凹凸の間隔は液滴の直径の２倍以下とする。
【００９８】
（実施の形態７）
実施の形態１乃至６と同一部分は同一符号を付し詳細な説明は省略する。
【００９９】
図７に示すように、気化室２内の内壁１１に親水処理１２を行う。
【０１００】
図７の上部の（ａ）の従来の未処理状態を示した図のように加工しない状態だと、消臭液５の液滴の表面張力が大きく空気との接触面積が少ない、気化室２の壁面との接触面積も小さく、振動、空気の対流などにより移動し、複数の液滴が接触し、一つの大きな液滴になる。
【０１０１】
図７の下部の（ｂ）の処理状態を示した図のように、親水処理１２を施した場合、内壁１１と消臭液５の接触面積が広がり、且つ液滴の表面張力が小さくなる。それにより、液滴と空気との接触面積が増え、内壁１１と消臭液５の液滴との摩擦が増加する。
【０１０２】
上記構成により、気化室２内の消臭液５の液滴が内壁１１になじみ液滴の表面積が増加するため、消臭液５の気化が容易にできる。
【０１０３】
（実施の形態８）
実施の形態１乃至７と同一部分は同一符号を付し詳細な説明は省略する。
【０１０４】
図８に示すように、気化室２にヒーター１３を設置する。気化室２内の空気をヒーター１３により暖める。
【０１０５】
上記構成により、気化室２内の気温が上昇し、気化室２内の消臭液５の気化が容易にできる。
【０１０６】
なお、ヒーター１３は気化室２内の空気を暖められればよいため、ヒーター１３の設置は気化室２内外を問わない。
【０１０７】
（実施の形態９）
実施の形態１乃至８と同一部分は同一符号を付し詳細な説明は省略する。
【０１０８】
図９に示すように、溶液タンク６にヒーター１４を設置する。ヒーター１４により溶液タンク６内の消臭液５を温める。
【０１０９】
上記構成により、ヒーター１４により加熱された溶液タンク６内の消臭液５は気化室２に搬送される。消臭液５は温められているので気化室２で容易に気化することができる。
【０１１０】
なお、ヒーター１４は溶液タンク６内の消臭液５を加熱できればよいため、ヒーター１４の設置場所は溶液タンク６内外を問わない。
【０１１１】
（実施の形態１０）
実施の形態１乃至９と同一部分は同一符号を付し詳細な説明は省略する。
【０１１２】
図１０に示すように、溶液タンク６と気化室２を溶液ダクト１５で接続し、その溶液ダクト１５にヒーター１６を設置し、ヒーター１６により溶液ダクト１５を通過する消臭液５を温める。溶液ダクトを一度に通過する消臭液５は少量のため、ヒーター１６の消費電力は少なくてよい。
【０１１３】
上記構成により、ヒーター１６により加熱された溶液ダクト１５内の消臭液５は気化室２に搬送される。消臭液５は温められているので気化室２で容易に気化することができる。
【０１１４】
なお、ヒーター１６は溶液ダクト１５内の消臭液５を加熱できればよいため、ヒーター１６の設置場所は溶液ダクト１５内外を問わない。
【０１１５】
（実施の形態１１）
実施の形態１乃至１０と同一部分は同一符号を付し詳細な説明は省略する。
【０１１６】
図１１に示すように、発射口１に開度調節手段１７を設けたものであり、発射口１の開度を調節し渦輪の到達距離を調節する。
【０１１７】
上記構成により消臭空気を渦輪として目的ポイントまで効率よく搬送することができる。
【０１１８】
（実施の形態１２）
実施の形態１乃至１１と同一部分は同一符号を付し詳細な説明は省略する。
【０１１９】
図１２に示すように、渦輪を発射する際、減圧室３の収縮率を駆動手段４の収縮率調節機構１８により変化させるものであり、発射口１より発射される渦輪のスピードが変化し、渦輪の到達距離を調節することができる。
【０１２０】
上記構成により消臭空気を渦輪として目的ポイントまで効率よく搬送することができる。
【０１２１】
（実施の形態１３）
実施の形態１乃至１２と同一部分は同一符号を付し詳細な説明は省略する。
【０１２２】
図１３に示すように、気化室２に第二駆動手段１９を設け、発射口１の方向が上下左右の方向に動かすことができる。たとえば、上下の軸を移動する滑車と左右の軸を移動する滑車を組み合わせ、同時にそれらを制御する。
【０１２３】
上記構成により渦輪の発射方向を変化させることができ、消臭空気を目的ポイントまで効率よく搬送することができる。
【０１２４】
（実施の形態１４）
実施の形態１乃至１３と同一部分は同一符号を付し詳細な説明は省略する。
【０１２５】
図１４に示すように、ガスセンサー２０を設け、ガスセンサー２０の値が一定以上増加した場合に自動で消臭空気を渦輪として発射する。なおガスセンサー２０は単数でも複数でも良い。
【０１２６】
上記構成により臭気に応じ自動で効率的に脱臭を行うことができる。
【０１２７】
（実施の形態１５）
実施の形態１乃至１４と同一部分は同一符号を付し詳細な説明は省略する。
【０１２８】
図１５に示すように、通常時には気化室２に少量ずつ消臭液５を送り、発射口１より消臭空気の濃度勾配で消臭空気を室内に送る。そしてガスセンサー２０の値が一定以上増加した場合に自動で消臭空気を渦輪として発射する。
【０１２９】
上記構成により常時は悪臭成分発生の予防として微量の消臭成分を送り、悪臭発生時は早急に消臭するために渦輪として一定量の消臭空気を送り効率よく脱臭を行うことができる。
【０１３０】
（実施の形態１６）
実施の形態１乃至１５と同一部分は同一符号を付し詳細な説明は省略する。
【０１３１】
図１６に示すように、気化室２の内壁１１に抗菌防カビ処理２１を施したもの。なお抗菌防カビ処理はＴＢＺなどの薬剤を表面に塗布してもよいし、銀などの金属抗菌剤を内壁に混入してもよい。
【０１３２】
上記構成により高湿になり、菌および真菌を含んでいる可能性のある外気を取り入れる気化室２で菌やカビの発生を抑制することができる。
【０１３３】
（実施の形態１７）
実施の形態１乃至１６と同一部分は同一符号を付し詳細な説明は省略する。
【０１３４】
図１７に示すように、センサー２２、たとえば赤外線センサーなどを設け、センサー２２により物質２４の位置を把握し収縮率調節機構１８または第二駆動手段１９または開度調節手段１７のいずれかまたは複数を調節し、渦輪２３を目的の場所に搬送することのできる。
【０１３５】
上記構成により、物質２４に渦輪２３を直接あて破壊する事無く、物質２４が臭気発生願の場合、物質２４の近傍で渦輪２３が崩壊し、その場所から消臭成分が広がるように調整でき、効率よく消臭をすることができる。
【０１３６】
（実施の形態１８）
実施の形態１乃至１７と同一部分は同一符号を付し詳細な説明は省略する。
【０１３７】
図１８に示すように、香料２５の入った香料カートリッジ２６たとえば褐色ビン容器を溶液ダクト１５に設置し、液量調整装置７により液量を調整された消臭液５に香料２５を混入する。
【０１３８】
上記構成により香りを追加した渦輪２３を作ることができ、官能的消臭効果を追加することができる。なお香料２５は官能的消臭効果だけでなく、アロマテラピー効果を発揮させることができる。なお香料２５は消臭液５に対し０．０００１％から０．１％と少量の混合のため、混入はシリンジなどの使用が考えられる。
【０１３９】
（実施の形態１９）
実施の形態１乃至１８と同一部分は同一符号を付し詳細な説明は省略する。
【０１４０】
図１９に示すように、香料２５の入った香料カートリッジ２６を溶液ダクト１５に複数設置し、消臭液５に混入する香料２５を変更することができる。
【０１４１】
上記構成により、数種類の香りの渦輪２３を作ることができ、官能的中和だけでなく香りを楽しむ効果を追加することができる。
【０１４２】
（実施の形態２０）
実施の形態１乃至１９と同一部分は同一符号を付し詳細な説明は省略する。
【０１４３】
図２０に示すように、パソコン２７によりユーザーが消臭空気の量、装置の起動時間、渦輪の目的ポイント、香りの種類などを任意に設定できるプログラムを有するものである。
【０１４４】
上記構成により、生活シーンやニーズに合わせた脱臭ができる。たとえば、ゴミの日の朝はゴミ箱周辺に脱臭空気を事前に送る、朝の起床時に目覚めを促進する香料入りの消臭空気を眠っている人の近傍に送るなど。
【産業上の利用可能性】
【０１４５】
空気砲を用いることにより、目的濃度の成分を含んだ空気を目的の場所まで容易に搬送することができ、効率よく成分の拡散ができる。
【図面の簡単な説明】
【０１４６】
【図１】本発明の実施の形態１の概略構成図
【図２】本発明の実施の形態２の概略構成図
【図３】本発明の実施の形態３の概略構成図
【図４】本発明の実施の形態４の概略構成図
【図５】本発明の実施の形態５の概略構成図
【図６】（ａ）は従来の未処理状態を示した図、（ｂ）は本発明の実施の形態６における処理状態を示した図
【図７】（ａ）は従来の未処理状態を示した図、（ｂ）は本発明の実施の形態７における処理状態を示した図
【図８】本発明の実施の形態８の概略構成図
【図９】本発明の実施の形態９の概略構成図
【図１０】本発明の実施の形態１０の概略構成図
【図１１】本発明の実施の形態１１の概略構成図
【図１２】本発明の実施の形態１２の概略構成図
【図１３】本発明の実施の形態１３の概略構成図
【図１４】本発明の実施の形態１４の概略構成図
【図１５】本発明の実施の形態１５の概略構成図
【図１６】本発明の実施の形態１６の概略構成図
【図１７】本発明の実施の形態１７の概略概略図
【図１８】本発明の実施の形態１８の概略概略図
【図１９】本発明の実施の形態１９の概略概略図
【図２０】本発明の実施の形態２０の概略概略図
【図２１】既存の技術の概略構成図
【符号の説明】
【０１４７】
１      発射口
２      気化室
３      減圧室
４      駆動手段
５      消臭液
６      溶液タンク
７      液量調整装置
８      シャッター機構
９      散水手段
１０    攪拌ファン
１１    内壁
１２    親水処理
１３    ヒーター
１４    ヒーター
１５    溶液ダクト
１６    ヒーター
１７    開度調節手段
１８    収縮率調節機構
１９    第二駆動手段
２０    ガスセンサー
２１    抗菌防カビ処理
２２    センサー
２３    渦輪
２４    物質
２５    香料
２６    香料カートリッジ
２７    パソコン
１０１  本体
１０２  送風機
１０３  送風口
１０４  第一収容部
１０５  第二収容部
１０６  エアーポンプ
【図１】
2009142528.tif 000003
【図２】
2009142528.tif 000004
【図３】
2009142528.tif 000005
【図４】
2009142528.tif 000006
【図５】
2009142528.tif 000007
【図６】
2009142528.tif 000008
【図７】
2009142528.tif 000009
【図８】
2009142528.tif 000010
【図９】
2009142528.tif 000011
【図１０】
2009142528.tif 000012
【図１１】
2009142528.tif 000013
【図１２】
2009142528.tif 000014
【図１３】
2009142528.tif 000015
【図１４】
2009142528.tif 000016
【図１５】
2009142528.tif 000017
【図１６】
2009142528.tif 000018
【図１７】
2009142528.tif 000019
【図１８】
2009142528.tif 000020
【図１９】
2009142528.tif 000021
【図２０】
2009142528.tif 000022
【図２１】
2009142528.tif 000023